(57)【要約】【課題】車両に取り付けた後でも、車種、仕向地に応じて音響特性などを設定または変更できるようにする。【解決手段】通常の放送とデータ信号をバースト状のパルス列として送信するデータ放送とを選択的に受信し、データ放送を受信した場合に、バースト信号の強度レベルをＳメータ１２により検出し、その信号を比較器１３により基準レベルと比較することにより、マイコン１４がデータ信号を抽出し、そのデータ信号により、例えばプリセット周波数設定メモリ１５にプリセット周波数を設定する。これにより、車両に取り付けた後でも、データ放送を受信することにより、車種、仕向地に応じて装置特性を容易に設定または変更することができる。受信データによりマイコン１４のプログラムを設定したり変更したりしてもよい。【選択図】  図１
2004236130.tif 000002
【特許請求の範囲】
【請求項１】
通常の放送とデータ信号をバースト状のパルス列として送信するデータ放送とを選択的に受信する手段と、前記データ放送を受信した場合に受信電波の信号強度レベルを検出して基準値と比較することにより前記データ信号を抽出する手段とを備えた放送受信装置。
【請求項２】
前記受信する手段がＦＭ放送を受信する手段であることを特徴とする請求項１記載の放送受信装置。
【請求項３】
請求項１または請求項２記載の放送受信装置を備えた音響装置。
【請求項４】
前記受信したデータ信号により前記音響装置の特性を設定または変更することを特徴とする請求項３記載の音響装置。
【請求項５】
前記受信したデータ信号により前記音響装置のプログラムを設定または変更することを特徴とする請求項３記載の音響装置。
【請求項６】
請求項１または請求項２記載の放送受信装置または請求項３から請求項５のいずれかに記載の音響装置を備えた車載用音響装置。
【請求項７】
通常の放送とデータ信号をバースト状のパルス列として送信するデータ放送とを選択的に送信する送信装置と、前記通常の放送と前記データ放送を選択的に受信するとともに、前記データ放送を受信した場合に受信電波の信号強度レベルを検出して基準値と比較することにより前記データ信号を抽出する手段を有する放送受信装置とを備え、放送電波の送受信により放送受信装置側の装置特性またはプログラムを設定または変更可能としたことを特徴とする放送システム。
【発明の詳細な説明】
【０００１】
【発明の属する技術分野】
本発明は、放送受信装置と音響装置と車載用音響装置に関する。
【０００２】
【従来の技術】
この種の車載用音響装置は、例えば特許文献１で知られている。図５は従来の車載用音響装置を示している。この車載用音響装置は、ＣＤデッキとＡＭ・ＦＭ受信機を一体化したものである。図５において、装置本体１０１は、その前面に液晶表示パネル１０２が開閉可能に設けられている。液晶表示パネル１０２の背面の装置本体１０１にはＣＤ挿入口が設けられている。操作ボタン１０３の中の開閉ボタンにより液晶表示パネル１０２を開成させると、ＣＤ挿入口が現れてＣＤを挿入または排出することができる。また、操作ボタン１０３により、ＣＤの演奏からＡＭ放送またはＦＭ放送に切り替えることができ、さらにはＦＭ多重放送も受信することができる。
【０００３】
【特許文献１】
特開平０４−２０７２１５号公報
【０００４】
【発明が解決しようとする課題】
しかしながら、従来の車載用音響装置は、構成、外形などはほとんど同様であるが、取り付ける車両の種類、または仕向地によって設定を変更する必要がある。例えば、車種によって音響特性を変更したり、または仕向地に応じて周波数のチャンネルセパレーションを変更する必要がある。従来は、これらの変更を、車載用音響装置を車両に取り付ける前に行っており、車両に取り付けた後は変更することができなかった。
【０００５】
本発明は、このような従来の問題を解決するものであり、車両に取り付けた後でも、車種、仕向地に応じて音響特性などを設定または変更することができる放送受信装置、音響装置、車載用音響装置を提供することを目的とする。
【０００６】
【課題を解決するための手段】
上記目的を達成するために、本発明の放送受信装置は、通常の放送とデータ信号をバースト状のパルス列として送信するデータ放送とを選択的に受信する手段と、前記データ放送を受信した場合に受信電波の信号強度レベルを検出して基準値と比較することにより前記データ信号を抽出する手段とを備えたものである。これにより、車両に取り付けた後でも、データ放送を受信してデータを抽出することにより、車種、仕向地に応じて装置特性を容易に設定または変更することができる。
【０００７】
また、本発明の放送受信装置は、前記受信する手段がＦＭ放送を受信する手段であることを特徴とするものである。ＦＭ受信機の場合は、自動選局等のために受信電波の信号強度レベルを検出するＳメータを備えていることが多いので、そのＳメータ出力を利用することにより、特別な手段を付加することなくデータ信号を抽出することができる。なお、Ｓメータを備えているＡＭ受信機にも適用可能である。
【０００８】
また、本発明は、上記した放送受信装置を備えた音響装置であり、近年では、ラジオ受信機にカセットテープレコーダやＣＤプレーヤを組み合わせた音響装置が普及しているので、本発明をこの種の音響装置へ適応することができる。
【０００９】
また、本発明の音響装置は、前記受信したデータ信号により前記音響装置の特性を設定または変更することを特徴とするものであり、例えばＣＤプレーヤにおけるＤＳＰや周波数アナライザの周波数特性を容易に設定または変更することができる。
【００１０】
また、本発明の音響装置は、前記受信したデータ信号により前記音響装置のプログラムを設定または変更することを特徴とするものであり、マイコンのプログラムの設定または変更を容易に行うことができる。
【００１１】
また、本発明は、上記した放送受信装置または音響装置を備えた車載用音響装置であり、車載装置の場合、国内の地域間を移動するために自動選局などの機能が備えられていることが多く、また、仕様の異なる外国向けにそれぞれ特性を設定する必要があるので、本発明の適応は極めて好適である。
【００１２】
また、本発明は、通常の放送とデータ信号をバースト状のパルス列として送信するデータ放送とを選択的に送信する送信装置と、前記通常の放送と前記データ放送を選択的に受信するとともに、前記データ放送を受信した場合に受信電波の信号強度レベルを検出して基準値と比較することにより前記データ信号を抽出する手段を有する放送受信装置とを備え、放送電波の送受信により放送受信装置側の装置特性またはプログラムを設定または変更可能としたことを特徴とする放送システムであり、送信側の装置にはデータ信号をバースト状のパルス列として送信する信号発生器の付加とソフトウエアの変更のみで、また受信側の装置にはソフトウエアを変更するだけで、受信側装置の特性やプログラムの設定または変更を容易に行うことができる。
【００１３】
【発明の実施の形態】
以下、本発明の実施の形態について図面を参照して説明する。図１は本発明の実施の形態における車載用音響装置のブロック図である。図１において、アンテナ１はＦＭ帯域の放送電波を受信するものである。高周波増幅回路２は、受信した放送電波を増幅するものである。混合回路３は、ＰＬＬ回路４により設定された希望波と局部発振信号との差の中間周波数を生成するものである。ＰＬＬ回路４は周波数シンセサイザとして機能する。中間周波増幅回路５は、混合回路３から出力された中間周波数を増幅し、検波回路６は、その中間周波数をＦＭ変調からＡＭ変調に変換した後にＡＭ検波して音声信号を復調する。ステレオ復調回路７は、復調した音声信号からステレオ信号を生成するもので、低周波増幅回路８、９はステレオ信号のそれぞれＲ信号およびＬ信号を増幅する。右スピーカ１０、左スピーカ１１は、それぞれ増幅された音声信号を音声として出力する。Ｓメータ１２は、シグナルメータの略称であり、中間周波増幅回路５の出力からアンテナ１で受信した電波の電界強度レベルを検出する。比較器１３は、検出された受信電界強度レベルを基準電圧と比較することにより、受信電界強度レベルの大きさを判定する。マイコン１４は、プログラムにより動作し、装置全体を制御する。プリセット周波数設定メモリ１５には、ユーザが希望するラジオ放送の周波数データが選局ボタンと対応して格納されており、選局ボタンを押すことにより希望する放送局を容易に選択することができる。操作部１６は、装置の前面パネルに設けられた各種操作ボタンを有している。その他にマイコン１４によって制御される液晶表示装置を備えていてもよい。
【００１４】
次に、本実施の形態における動作について説明する。本実施の形態におけるＦＭラジオ放送の受信については、従来と同様であるので説明を省略し、以下にはデータ放送を受信する場合の動作について説明する。Ｓメータ１２の出力は、図２に示すように、アンテナ入力に比例しているので、放送局から図３（ａ）に示すような、バースト状のパルス列としてデータ信号を送信してきた場合、Ｓメータ１２によりその電界強度レベルを検出し、比較器１３により所定の基準電圧と比較することにより、図３（ｂ）のようなハイレベルとローレベルすなわち「１」「０」の信号が得られる。データの送信フォーマットは、一般的なデータ通信に利用されているものを使用することができ、放送局の送信装置は、データ信号をバースト状のパルス列として送信する信号発生器を備えている。
【００１５】
以下、本実施の形態における動作について、データ放送の一例としてプリセット周波数を設定する場合の動作について説明する。従来において、車両を販売する場合、ディーラにおいて、その地域で受信可能な放送局を予め設定しておくとユーザが選局を行う際に便利である。このための機能がオートプリセット機能であり、予め受信可能な放送局のすべての周波数をマイコン１４が自動的にサーチして、Ｓメータ１２によりアンテナの受信電界レベルを検出し、これを比較器１３により基準レベルと比較することにより受信可能な電波を取得し、その周波数データをプリセット周波数設定メモリ１５に設定し、操作部１６の対応する選局ボタンに割り当てておく。このオートプリセット機能は、車両の走行により地域を移動した時にも利用される。なお、オートプリセット機能を動作させる場合、すべての周波数の電界強度レベルをＳメータ１２で検出して受信可能な放送局をサーチすることは時間がかかりすぎるので、予め受信を希望する放送局の周波数を決めておき、Ｓメータ１２と比較器１３により受信電界強度が所定の値以上であって、かつＰＬＬ回路４内に設けられた中間周波数カウンタが所定の周波数をカウントした時に、受信を希望する放送局があると判断して、その周波数をプリセット周波数設定メモリ１５にセットするようになっている。
【００１６】
本実施の形態では、このプリセット機能における周波数の設定を放送局からデータ放送を受信することにより行う。放送局が行うデータ放送については、予めラジオ放送その他のマスメディアを通じて、周波数何メガヘルツにおいてデータ放送が行われていることを周知させている。そして、放送局は、例えば、いついつに、なになに会社製のどの車種について車載音響装置のプリセット周波数データを送信する旨をディーラに通知しておく。ディーラはその日時になると、図４に示すように、各車載音響装置の操作部１６を操作して、マイコン１４の設定をラジオ受信モードからデータ受信モードに切り替え（ステップＳ１）、指定された周波数に合わせるべく、操作部１６のデータ受信ボタンを押すことにより、マイコン１４が所定の周波数データをＰＬＬ回路４に送り、データ放送を受信する準備をしておく（ステップＳ２）。次に、アンテナ１で受信され、高周波増幅回路２で増幅され、混合回路３でＰＬＬ回路４からのデータ放送用の周波数と混合されて中間周波数に変換されたバースト信号の信号強度をＳメータ１２で検出し、比較器１３で基準電圧と比較し、その比較結果をもとにマイコン１４がデータ信号を抽出し、それをマイコン１４のフラッシュメモリに格納しておき（ステップＳ３）、すべてのデータ受信終了後に、その信号データによりプリセット周波数メモリ１５にプリセット周波数を設定する（ステップＳ４）。
【００１７】
このように、本実施の形態によれば、車両用音響装置を車両に取り付けた後であっても、販売地または仕向け地用にプリセット周波数をデータ放送を利用して設定することができ、設定の手間を大幅に簡略化することができるばかりでなく、工場出荷段階、車両取付段階、ディーラ段階、ユーザ段階のいずれの段階でも、装置特性の設定または変更を容易に行うことができる。
【００１８】
なお、上記実施の形態は、受信したデータ信号によりプリセット周波数を設定する例であるが、その他の例として、車両の仕向地に応じた周波数のチャンネルセパレーションを設定することもできる。また、車載用音響装置としてＣＤプレーヤがＦＭラジオ受信機と一体化されている場合に、車種に応じてＤＳＰ（デジタルシグナルプロセッサ）の音響特性（周波数特性）設定することもできる。さらに、複数の周波数帯域の信号レベルを電子ボリュームで設定するイコライザの設定も同様に行うことができる。また、マイコン１４におけるプログラムの設定する場合、製品出荷後にバグがあることが判明した場合、プログラムをバージョンアップするために更新する場合等にも、受信したデータ信号をもとに設定や変更、更新を行うことができる。
【００１９】
【発明の効果】
以上説明したように、本発明は、通常の放送とデータ信号をバースト状のパルス列として送信するデータ放送とを選択的に受信する手段と、データ放送を受信した場合に受信電波の信号強度レベルを検出して基準値と比較することによりデータ信号を抽出する手段とを備えた放送受信装置または音響装置または車載用音響装置であり、装置を車両に取り付けた後でも、データ放送を受信してデータを抽出することにより、車種や仕向地に応じて装置特性を容易に設定または変更することができる。
【００２０】
また、本発明は、通常の放送とデータ信号をバースト状のパルス列として送信するデータ放送とを選択的に送信する送信装置と、通常の放送とデータ放送を選択的に受信するとともに、データ放送を受信した場合に受信電波の信号強度レベルを検出して比較することによりデータ信号を抽出する手段を有する放送受信装置とを備え、放送電波の送受信により放送受信装置側の装置特性またはプログラムを設定または変更可能としたことを特徴とする放送システムであり、送信側の装置にはデータ信号をバースト状のパルス列として送信する信号発生器の付加とソフトウエアの変更のみで、また受信側の装置にはソフトウエアを変更するだけで、受信側装置の特性やプログラムの設定または変更を容易に行うことができる。
【図面の簡単な説明】
【図１】本発明の実施の形態における車載用音響装置の構成を示すブロック図
【図２】本発明の実施の形態におけるＳメータ出力とアンテナ入力との関係を示す特性図
【図３】（ａ）本発明の実施の形態におけるアンテナに入力されたバースト信号の波形図
（ｂ）本発明の実施の形態における比較器出力の波形図
【図４】本発明の実施の形態における受信データによりプリセット周波数を設定する際のフロー図
【図５】従来例における車載用音響装置の正面図
【符号の説明】
１  アンテナ
２  高周波増幅回路
３  混合回路
４  ＰＬＬ回路
５  中間周波増幅回路
６  検波回路
７  ステレオ復調回路
８、９低周波増幅回路
１０  右スピーカ
１１  左スピーカ
１２  Ｓメータ
１３  比較器
１４  マイコン
１５  プリセット周波数設定メモリ
１６  操作部
【図１】
2004236130.tif 000003
【図２】
2004236130.tif 000004
【図３】
2004236130.tif 000005
【図４】
2004236130.tif 000006
【図５】
2004236130.tif 000007